(57)【特許請求の範囲】
【請求項１】
電動モータを有するモータハウジングに圧縮機を設けた空気圧縮装置と、上記モータハウジングの下部に設けられた他の構成部品とを有する可搬式空気圧縮機において、上記モータハウジングと上記構成部品との間には、中央の中空部の上部に支持部を一体に形成した弾性材製の緩衝体を配し、上記中空部の下端を上記構成部品に固定するとともに、上記支持部には上記モータハウジングから突出した脚部の下端を支持させ、上記支持部の底部中央には開口部を形成し、該開口部の下部に設けられた上記中空部の中央を膨らませたことを特徴とする可搬式空気圧縮機。
【請求項２】
上記支持部の底部の中央には上記中空部に連続する開口部を形成し、開口部の外側に上記モータハウジングから突出した脚部の下端を受ける受け部を形成したことを特徴とする、請求項１に記載の可搬式空気圧縮機。
【請求項３】
上記構成部品がベースであり、ベースの下部を弾性体を介して接地させるとともに、上記空気圧縮機を覆うカバーを上記弾性体に支持させたことを特徴とする、請求項１又は２に記載の可搬式空気圧縮機。
【請求項４】
上記カバーの下端部を弾性脚を介して接地させたことを特徴とする、請求項３に記載の可搬式空気圧縮機。
【請求項５】
上記モータハウジングの上部には弾性体を介して空気タンクを設け、該弾性体の上部には上方に開口する嵌合部が形成され、該嵌合部には上記空気タンクから下向きに突出した突片が嵌合させることを特徴とする、請求項１〜４のいずれかに記載の可搬式空気圧縮機。
【請求項６】
上記構成部品が空気タンクであることを特徴とする、請求項１又は２に記載の可搬式空気圧縮機。
【発明の詳細な説明】
【技術分野】
【０００１】
本発明は防振性に優れる可搬式空気圧縮機に関する。
【背景技術】
【０００２】
従来から建築工事現場等において使用される電動モータ駆動の可搬式空気圧縮機は良く知られており、このような空気圧縮機は工事現場への持込み使用においてその振動や騒音が問題となることが多く、このような問題に対処するための防振・防音対策はきわめて重要である。
【０００３】
例えば、上述の可搬式の空気圧縮機等においては、通常危険部位の露出を防ぐとともに騒音の低減を図るためにその外部はカバーで覆われているが、このようなカバーは圧縮機の駆動による振動で振れやすく、カバーの取付け状態が良くないとカバーの振れが大きくなりかえって大きな騒音を発することになりかねない。したがって、このような事態を回避するために従来からカバーの取付けに際し緩衝部材を介在したり、あるいはカバーに防振材を貼り付ける等の対策が採られてきた。
【０００４】
そして、また上述の防振・防音の視点からの振動と騒音の低減対策が採られたある可搬式空気圧縮機の提案によれば、電動モータと空気圧縮機が一体に結合されたユニットをベース部材上に緩衝部材を介して取付け、ユニットの上部に緩衝部材を介して空気タンク等の上部構成部品を取付け、さらにユニットや空気タンクを全面的に外部から覆うカバーを該ユニットに対して直接接触することなく保持して、これにより振動や騒音の低減化を図っている（例えば、特許文献１参照）。
【特許文献１】特開２００４−２１８５１４号公報
【発明の開示】
【発明が解決しようとする課題】
【０００５】
しかしながら、上述の緩衝部材は弾性材から構成されているものの、撓みが十分でなかったので、振動の吸収が不充分であり、思うような騒音防止効果が得られなかった。
【０００６】
また、上述の特許文献１に記載の防振・防音対策においては、圧縮機駆動による振動は緩衝部材を介して空気タンクに、また、間接的にカバーに伝達されるようにしているので、これら部品の振動や騒音の低減化はそれなりに達成できるが限定的なものであり、十分であるとはいえない。
【０００７】
したがって、こうした中で、可搬式空気圧縮機における上述の振動・騒音を効果的に低減するために真に有効な防振構造の開発が待たれていた。
【０００８】
本発明は、上述の問題点を解消し、電動モータと空気圧縮機とを備えた可搬式空気圧縮機の振動を良好に防止して振動に伴なう騒音の発生を抑えることができる可搬式空気圧縮機を提供することをその課題とする。
【課題を解決するための手段】
【０００９】
前記課題を解決するため請求項１に係る発明は、電動モータを有するモータハウジングに圧縮機を設けた空気圧縮装置と、上記モータハウジングの下部に設けられた他の構成部品とを有する可搬式空気圧縮機において、上記モータハウジングと上記構成部品との間には、中央の中空部の上部に支持部を一体に形成した弾性材製の緩衝体を配し、上記中空部の下端を上記構成部品に固定するとともに、上記支持部には上記モータハウジングから突出した脚部の下端を支持させ、上記支持部の底部中央には開口部を形成し、該開口部の下部に設けられた上記中空部の中央を膨らませたことを特徴とする。
【００１０】
請求項２に係る発明は、請求項１において、上記支持部の底部の中央には上記中空部に連続する開口部を形成し、開口部の外側に上記モータハウジングから突出した脚部の下端を受ける受け部を形成したことを特徴とする。
【００１１】
請求項３に係る発明は、請求項１又は２において、上記構成部品がベースであり、ベースの下部を弾性体を介して接地させるとともに、上記空気圧縮機を覆うカバーを上記弾性体に支持させたことを特徴とする。
【００１２】
請求項４に係る発明は、請求項３において、上記カバーの下端部を弾性脚を介して接地させたことを特徴とする。
【００１３】
請求項５に係る発明は、請求項１〜４のいずれかにおいて、上記モータハウジングの上部には弾性体を介して空気タンクを設け、該弾性体の上部には上方に開口する嵌合部が形成され、該嵌合部には上記空気タンクから下向きに突出した突片が嵌合させたことを特徴とする。
【００１４】
請求項６に係る発明は、請求項１又は２において、上記構成部品が空気タンクであることを特徴とする。
【発明の効果】
【００１５】
請求項１に係る発明によれば、モータハウジングの下部に設けられた他の構成部品とを有する可搬式空気圧縮機において、上記モータハウジングと上記構成部品との間には、中央部の中空部の上部に支持部を一体に形成した緩衝体を配し、上記中空部の下端を上記構成部品に固定するとともに、上記支持部には上記モータハウジングから突出した脚部の下端を支持させた構成であるから、空気圧縮作動時に電動モータが振動した場合、その振動は緩衝体によって吸収される。しかも、支持部の底部中央には開口部が形成されて中空部に続いており、この中空部の中央が膨らんだ形状となっているから、変形しやすく、振動の吸収効率がよく、電動モータの駆動による振動を上記構成部品に伝達するのを抑制することができる。したがって、振動・騒音を効果的に低減することができる。
【００１６】
請求項２に係る発明によれば、上記支持部の底部の中央には上記中空部に連続する開口部を形成し、開口部の外側に上記モータハウジングから突出した脚部の下端を受ける受け部を形成した構成であるから、脚部に接触してその荷重を直接に受ける受け部の面積は小さいので、電動モータが振動したときに中空部の変形はより促されることになる。したがって、電動モータの振動を良好に防止して振動に伴なう騒音の発生を一層効果的に抑えることができる。
【００１７】
請求項３に係る発明によれば、構成部品がベースであり、ベースの下部を弾性体を介して接地させるとともに、空気圧縮機を覆うカバーを上記弾性体に支持させたので、電動モータの振動がカバーに伝達されるのを確実に防止することができる。したがって、電動モータの振動によりカバーが振動して騒音の発生源になることがないので、カバーが空気圧縮機を覆うことによって有効に防音機能を果たすことができる。
【００１８】
請求項４に係る発明によれば、カバーの下端部を弾性脚を介して接地させたので、空気圧縮機を床などに置いたときに床の振動がカバーに伝達されるのを防止することができるとともに、カバーを支持している弾性体にほとんど負荷がかからない。
【００１９】
請求項５に係る発明によれば、モータハウジングの上部には弾性体を介して空気タンクを設け、該弾性体の上部には上方に開口する嵌合部が形成され、該嵌合部には上記空気タンクから下向きに突出した突片が嵌合させる構成であるから、空気タンクは前後左右に動くことができない。したがって、空気タンクが位置ズレしない。このため、電動モータの上部に空気タンクを積み上げ的に組みつけることが可能となり、作業性が改善されるから、組み付け費を削減することができる。
【００２０】
請求項６に係る発明によれば、構成部品が空気タンクであるから、空気タンクに電動モータの振動が伝達されないので、カバーを空気タンクに固定したときに、カバーが振動して騒音の発生源になるのを防止することができる。
【発明を実施するための最良の形態】
【００２１】
図１、２等には、本発明に係る防振構造が適用される可搬式空気圧縮機Ａの主要構造部が図示されている。可搬式空気圧縮機Ａは往復動型の空気圧縮機であり、電動モータとその回転軸とを有するモータハウジング１の左右両側に圧縮機２を設けた空気圧縮装置と、その上部に位置された空気タンク３と、これらを組み付け支持したベース４と、これらの主要構造部の外側覆ったカバー５とから主に構成されている。なお、図１はカバー５の半分を外した状態の斜視図である。また、図４は空気圧縮装置の底面側の斜視図、図５は一部を切り欠いた可搬式空気圧縮機Ａの斜視図、図６はその底面図である。
【００２２】
モータハウジング１の内部には、図示しないが、電動モータと電動モータにより駆動される回転軸が収納配置され、回転軸の回転を回転軸に固定した偏心板と偏心板と連動するコンロッドを介して圧縮機２の圧縮ピストンを往復動させ、圧縮シリンダ６内に吸気した空気を圧縮して吐出して上述の空気タンク３内に貯留するように構成されている。
【００２３】
なお、モータハウジング１の下部には、図４に示されるように、４個の脚部１４が形成されている。脚部１４の先端１４ａは角形に形成され、先端下部には円形突部１４ｂが形成されている。先端１４ａには前後方向にボルト挿通孔１５が貫通形成されている。
【００２４】
（ベースとモータハウジング）
上記モータハウジング１はベース４上に設けられた４個の緩衝体７を介して取り付けられている。緩衝体７はゴム等の弾性材から成り、図２（ａ）（ｂ）に示されるように、中央部が太鼓状に膨らんだ中空部８の上部に支持部９を一体に形成したもので、中空部８の底部にはボルト挿通孔１０が形成されている。また、支持部９は中空部８の上部に平面視コ字形を呈するように配置された側壁９ａによって構成されている。支持部９はモータハウジング１から突出した脚部１４の先端１４ａが嵌合可能に形成され、側壁９ａにはボルト挿通孔１３が形成されている。さらに、支持部９の底部、つまり中空部８と支持部９との間の仕切り部は方形に形成され、その中央には中空部８と連続する円形の開口部１１が形成され、開口部１１は上記脚部１４の先端１４ａの下部の円形突部１４ｂが嵌合する大きさで、開口部１１の外側には上記脚部１４の先端１４ａの円形突部１４ｂを除く下端面を受ける受け部１２が形成されている。したがって、緩衝体７は全体が中空体になっている。
【００２５】
ベース４は略方形の板状部材で、モータハウジング１の脚部１４の先端に対応する位置には円形状のマウント部１６が盛上り状に形成され、その中央には円孔１７が貫通形成されている。
【００２６】
緩衝体７はベース４のマウント部１６上に配置され、その中空部８の底部のボルト挿通孔１０から挿通されたボルト１８を上記マウント部１６の裏側からナット１９で締結して固定されている。次に、モータハウジング１の脚部１４の先端１４ａは緩衝体７の支持部９内に嵌合され、円形突部１４ｂは開口部１１に嵌合するとともに、先端１４ａの円形突部１４ｂを除く下端面は受け部１２上に支持させる。そして、支持部９の側部から先端部１４ａを貫通したボルト２０、ナット２１によって固定されている。このようにして、モータハウジング１はベース４上に設けられた４個の緩衝体７を介して取り付けられている。
【００２７】
（ベースの支持）
次に、ベース４の下部にも弾性脚２３が固定され、ベース４は該弾性体を介して接地するように構成されている。弾性脚２３はゴム等により構成され、略円筒状の筒部２４と、筒部２４の上端の上部端板２５と、筒部２４の中間部から径方向に突出するフランジ部２６とから構成され、フランジ部２６の外周端から上方には突縁部２７が突出形成され、またフランジ部２６の下面の中間から筒状部２８が形成され、筒状部２８から径方向に下部フランジ部２９が形成され、フランジ部２６と下部フランジ部２９との間には外方に開口する環状溝３１が形成されている。弾性脚２３は上記マウント部１６の下部に配置され、上部端板２５はベース４のマウント部１６の円孔１７に嵌合されて上記緩衝体７の固定ボルト１８によって緩衝体７と一体的に固定されている。したがって、ベース４は弾性脚２３を介して接地するように構成されている。
【００２８】
（カバーの支持）
さらに、カバー５は合成樹脂からなり、モータハウジング１、空気タンク３等を覆うように形成され、上部には把手２２が一体に形成され、その底部は図６に示されるように、ベース４の周縁部を包囲し、その内側は開口している。そして、その開口縁３０の一部３０ａは上記弾性脚２３の環状溝３１に若干の隙間を設けて、弾性脚２３が振動吸収するように嵌合支持されている。これにより、カバー５は弾性脚２３を介してベース４に取り付けられている。また、図１及び図５に示されるように、カバー５の底部には金属製の細長の支持板３２が左右方向に配置固定され、その端部にはゴム製の弾性脚３３が固定されている。したがって、カバー５は上記３種類の弾性脚２３、３３、４３を介して接地するようになっている。
【００２９】
（空気タンクとモータハウジング）
空気タンク３はモータハウジング１の上部に位置ズレしないように設けられている。すなわち、図７に示すように、モータハウジング１の上部には取付座３４が固定され、該取付座３４には弾性体３５が取り付けられている。この弾性体３５はゴム製で、２重筒状部３６の上部に角筒状の嵌合部３７が上方に開口形成されている。空気タンク３の下部には角形の突片３８が下向きに形成され、上記嵌合部３７に上から嵌合している。
【００３０】
上記構成の空気圧縮機によれば、モータハウジング１とベース４との間には、中央部が太鼓状に膨らんだ中空部８の上部に支持部９を一体に形成した緩衝体７を配し、上記中空部８の下端をベース４に固定するとともに、上記支持部９には上記モータハウジング１から突出した脚部１４の下端を支持させた構成であるから、空気圧縮作動時に電動モータとともにモータハウジング１が振動した場合、その振動は緩衝体７によって吸収される。しかも、緩衝体７は中空部８の中央が膨らんだ形状となっているから、変形しやすく、振動の吸収効率がよく、電動モータの駆動による振動がベース４に伝達されるのを抑制することができる。したがって、振動・騒音を効果的に低減することができる。
【００３１】
また、上記支持部９の底部の中央には上記中空部８に連続する開口部１１を形成し、開口部の外側に上記モータハウジング１から突出した脚部１４の先端１４ａを受ける受け部１２を形成した構成であるから、脚部１４に接触してその荷重を直接に受ける受け部１２の面積は小さいので、電動モータ１が振動したときに中空部８の変形はより促されることになる。したがって、電動モータの振動を良好に防止して振動に伴なう騒音の発生を一層効果的に抑えることができる。
【００３２】
さらに、ベース４の下部を弾性脚２３を介して接地させるとともに、空気圧縮機を覆うカバー５を上記弾性脚２３に支持させたので、電動モータの振動がカバー５に伝達されるのを確実に防止することができる。したがって、電動モータの振動によりカバー５が振動して騒音の発生源になることがなく、カバー５が空気圧縮機を覆うことによって有効に防音機能を果たすことができる。
【００３３】
なお、カバー５の把手２２を掴んで空気圧縮機を持ち上げると、カバー５の底部の開口縁３０の一部３０ａは上記弾性脚２３の環状溝３１に嵌合支持されているから、緩衝体７のフランジ部２６が変形しようとするが、フランジ部２６の外周端の突縁部２７がベース４の下面に当たっているので変形が阻止され、したがて、カバー５によって確実に空気圧縮機全体を持ち上げることができる。
【００３４】
また、カバー５の下端部を弾性脚２３、３３を介して接地させたので、空気圧縮機を床などに置いたときに床の振動がカバー５に伝達されるのを防止することができるとともに、カバー５を支持している弾性体にほとんど負荷がかからない。
【００３５】
しかも、モータハウジング１の上部に空気タンク３が配置されているが、モータハウジング１の上部に固定された弾性体３５の上部には上方に開口する嵌合部３７が形成され、該嵌合部３７には上記空気タンク３から下向きに突出した突片３８が嵌合する構成であるから、空気タンク３は振動等に対しても弾性体３５が変形することによって支持される。したがって、空気タンク３が位置ズレしない。このため、モータハウジング１の上部に空気タンク３を積み上げ的に組みつけることが可能となり、組立作業性が改善できる。
【００３６】
（空気タンクとモータハウジング）
次に、本発明の別の実施形態を図８及び図９によって説明する。
【００３７】
この実施形態における可搬式空気圧縮機Ａは、モータハウジング１が２つの空気タンク３上で支持され、モータハウジング１が空気タンク３の上部で４個の緩衝体７によって支持されている。
【００３８】
緩衝体７は図２（ａ）（ｂ）に示すものと同じく、ゴム等の弾性材から成り、中央部が太鼓状に膨らんだ中空部８の上部に支持部９を一体に形成したもので、中空部８の底部にはボルト挿通孔１０が形成されている。また、支持部９は中空部８の上部に平面視コ字形を呈するように配置された側壁によって構成されている。側壁にはボルト挿通孔１３が形成されている。さらに、支持部９の底部には円形の開口部１１が形成され、開口部１１の外側に上記モータハウジング１から突出した脚部の先端１４ａを受ける受け部が形成されている。
【００３９】
２つの空気タンク３は互いに同型で同じ大きさの円筒状タンクであり、これら空気タンク３はその長手方向の側部を互いに対向させて連結フレーム３９を介して所定の間隔をもって互いに平行配置の状態で結合されており、両空気タンク３の長手方向両端のそれぞれの下部に上記接地のための支持脚４０が取付けられている。２つの空気タンク３の互いに向き合う側面の上部には４個の取付金具４１が固定されている。
【００４０】
これに対し、モータハウジング１の下側の４個所から脚部１４が突出形成され、その先端１４ａは、図３に示すものと同じく、上記緩衝体７の支持部９に嵌合可能な立方体のブロック状に形成され、ボルト挿通孔１３が貫通形成されている。
【００４１】
緩衝体７は空気タンク３の取付金具４１上に配置され、その中空部８の底部のボルト挿通孔１０から挿通されたボルト１８を上記取付金具４１の裏側からナットで締結して固定されている。次に、圧縮機の脚部１４の角型先端部１４ａは緩衝体の支持部９内に嵌合され、支持部９の側部から先端部１４ａを貫通したボルト２０によって固定されている。このようにして、モータハウジング１は空気タンク３上に設けられた４個の緩衝体７を介して取り付けられている。
【００４２】
なお、カバーは図示しないが、その下端部は空気タンク３に固定された取付金具４２にボルト、ナットにより直接に固定されている。
【００４３】
上記構成によっても、緩衝体７により空気タンク３に電動モータとともにモータハウジング１の振動が伝達されないので、カバー５を空気タンク３に固定したときに、カバー５が振動して騒音の発生源になるのを防止することができる。
【００４４】
なお、モータハウジングの構成は必ずしも２個の圧縮機を設けた構成に限定されない。１個の圧縮機を搭載したものでもよい。
【００４５】
また、モータハウジングを支持する構成部品も、ベース又は空気タンクに限定されない。例えば、２つの空気タンクを連結する連結フレームもモータハウジングを支持する構成部品とすることができる。
【図面の簡単な説明】
【００４６】
【図１】本発明の可搬式空気圧縮機の分割カバーの一方が外された状態を示す斜視図
【図２】（ａ）（ｂ）は緩衝体の斜視図及び縦断面図
【図３】電動モータの取付状態を示す断面図
【図４】空気圧縮装置の底面側の斜視図、
【図５】一部を切り欠いた可搬式空気圧縮機Ａの斜視図
【図６】可搬式空気圧縮機の底面図
【図７】電動モータと空気タンクの位置ずれ防止構造を示す一部断面図
【図８】本発明の可搬式圧縮機の別の実施形態を示す外観斜視図
【図９】電動モータの取付状態を示す断面図
【符号の説明】
【００４７】
Ａ  可搬式空気圧縮機
１  電動モータ
３  空気タンク
４  ベース
５  カバー
７  緩衝体
８  中空部
９  支持部
１１  開口部
１４  脚部
【図１】
0004978338.tif 000002
【図２】
0004978338.tif 000003
【図３】
0004978338.tif 000004
【図４】
0004978338.tif 000005
【図５】
0004978338.tif 000006
【図６】
0004978338.tif 000007
【図７】
0004978338.tif 000008
【図８】
0004978338.tif 000009
【図９】
0004978338.tif 000010